(57)【要約】【課題】給水手段の異常を的確に判定する食器洗浄機を簡単かつ安価な構成により提供する。【解決手段】この食器洗浄機においては、洗浄終了後にメインスイッチがオン操作されたとき、ステップ１３６にてすすぎ湯タンクへの給湯制御を禁止した上でステップ１３８にてすすぎポンプを所定時間だけ作動させることにより、すすぎ湯タンク内の水位を一旦所定水位未満にする。そして、上記給湯制御を禁止した状態を保ちながら、ステップ１０６にてすすぎ湯タンク内の水位が前記所定水位に達したか否かを判定することによって、すすぎ湯タンク内にすすぎ湯を供給する給湯管及び給湯バルブに異常が発生したか否かを判定する。【選択図】　図３
2004049538.tif 000002
【特許請求の範囲】
【請求項１】
食器を収容する洗浄室と、
前記洗浄室内に収容した食器をすすぐためのすすぎ水を貯えるすすぎ水タンクと、
前記すすぎ水タンク内のすすぎ水を前記洗浄室内に配設されてすすぎ水を噴射するすすぎノズルに供給するすすぎ水供給手段と、
前記すすぎ水タンク内にすすぎ水を供給する給水手段と、
前記すすぎ水タンク内の水位を検出するすすぎ水位検出手段と、
前記すすぎ水位検出手段による検出に基づき前記給水手段を制御して前記すすぎ水タンク内の水位を所定水位に保つ給水制御手段とを備えた食器洗浄機において、
前記給水制御手段による給水制御を禁止して前記給水手段による前記すすぎ水タンク内へのすすぎ水の供給を禁止する給水禁止手段と、
前記給水禁止手段による給水制御の禁止中に前記すすぎ水供給手段を制御して所定時間だけ前記すすぎ水タンク内のすすぎ水を前記すすぎノズルに供給することにより前記すすぎ水タンク内の水位を前記所定水位未満まで低下させる禁止中供給制御手段と、
前記給水禁止手段による給水制御の禁止中であって前記禁止中供給制御手段の制御下にて前記すすぎ水供給手段によるすすぎ水の供給が終了した後、前記すすぎ水位検出手段による検出を監視して、前記すすぎ水タンク内の水位が前記所定水位以上となった場合に前記給水手段に異常が発生したと判定する給水異常判定手段を設けたことを特徴とする食器洗浄機。
【請求項２】
前記請求項１に記載の食器洗浄機において、
前記給水禁止手段による給水制御の禁止の開始及び同禁止開始後の前記禁止中供給制御手段による前記すすぎ水供給手段の制御の実行並びに前記禁止の解除を指示するための指示手段を設けたことを特徴とする食器洗浄機。
【請求項３】
前記請求項１に記載の食器洗浄機において、
前記禁止中供給制御手段に前記すすぎ水供給手段の制御を実行させないように前記給水禁止手段による給水制御の禁止の開始を指示するとともに、前記禁止の解除を指示するための第１指示手段と、
前記給水禁止手段による給水制御の禁止の開始及び同禁止の開始後の前記禁止中供給制御手段による前記すすぎ水供給手段の制御の実行を指示するための第２指示手段とを設けたことを特徴とする食器洗浄機。
【請求項４】
前記請求項１乃至請求項３のうちのいずれかに記載の食器洗浄機において、
前記給水異常判定手段が前記給水手段に異常ありと判定したとき同異常を報知する異常報知手段を設けたことを特徴とする食器洗浄機。
【発明の詳細な説明】
【０００１】
【発明の属する技術分野】
本発明は、食器を洗浄する食器洗浄機に関する。
【０００２】
【従来の技術】
従来、この種の装置は、食器を収容する洗浄室と、洗浄室内に収容した食器をすすぐためのすすぎ水を貯えるすすぎ水タンクと、すすぎ水タンク内のすすぎ水を洗浄室内に配設されてすすぎ水を噴射するすすぎノズルに供給するすすぎ水供給手段と、すすぎ水タンク内にすすぎ水を供給する給水手段と、すすぎ水タンク内の水位を検出するすすぎ水位検出手段と、すすぎ水位検出手段による検出に基づき前記給水手段を制御して前記すすぎ水タンク内の水位を所定水位に保つ給水制御手段とを備え、すすぎ水供給手段によりすすぎノズルにすすぎ水を供給してすすぎノズルにより洗浄室内の食器をすすぎながら、すすぎ水位検出手段による検出に基づき給水制御手段の制御下にて給水手段によりすすぎ水タンク内にすすぎ水を適宜供給してすすぎ水タンク内の水位を所定水位に保つようにしていた。この場合、上記すすぎ水位検出手段又は別途設けた検出手段によりすすぎ水タンク内の水位が異常な高水位になったことを検出するようにして、同検出時に給水手段に異常が発生したと判定するようにしたものもあった。
【０００３】
【発明が解決しようとする課題】
上記異常判定を行う従来装置においては、すすぎ水タンク内の水位が異常な高水位になったことを検出するために、すすぎ水位検出手段の構成を複雑にしたり別途検出手段を設けたりする必要があったため、装置全体の構成が複雑になりコストが高くなるという問題があった。特に検出手段を別途設けた場合は、給水手段がすすぎ水位検出手段による検出に基づき給水制御手段の制御下にて作動及び非作動を小刻みに繰り返すことを回避するために設定したヒステリシスにより、すすぎ水位検出手段の検出水位と上記別途設けた検出手段の検出水位との間隔が狭い場合に給水手段が正常であるにも関わらずすすぎ水タンク内の水位が上記異常な高水位と検出されることがあり、異常が発生したと誤って判定されることがあった。
【０００４】
【発明の概要】
本発明の目的は、給水手段の異常を的確に判定する食器洗浄機を簡単かつ安価な構成により提供することにある。
【０００５】
本発明の第１の構成上の特徴は、前記洗浄室、すすぎ水タンク、すすぎ水供給手段、給水手段、すすぎ水位検出手段、給水制御手段を備えた食器洗浄機において、給水制御手段による給水制御を禁止して給水手段によるすすぎ水タンク内へのすすぎ水の供給を禁止する給水禁止手段と、給水禁止手段による給水制御の禁止中にすすぎ水供給手段を制御して所定時間だけすすぎ水タンク内のすすぎ水をすすぎノズルに供給することによりすすぎ水タンク内の水位を前記所定水位未満まで低下させる禁止中供給制御手段と、給水禁止手段による給水制御の禁止中であって禁止中供給制御手段の制御下にてすすぎ水供給手段によるすすぎ水の供給が終了した後、すすぎ水位検出手段による検出を監視して、すすぎ水タンク内の水位が前記所定水位以上となった場合に給水手段に異常が発生したと判定する給水異常判定手段を設けたことにある。
【０００６】
上記特徴を有する食器洗浄機においては、禁止中供給制御手段の制御下にてすすぎ水供給手段によるすすぎ水の供給が終了した後、給水禁止手段による給水制御の禁止が継続している状態においては、給水手段が正常ならばすすぎ水タンク内の水位は前記所定水位未満に保たれるはずであるから、給水異常判定手段は、すすぎ水位検出手段による検出を監視して、すすぎ水タンク内の水位が前記所定水位以上であるか否かを判定することによって給水手段に異常が発生したか否かを判定することができる。すなわち、上記食器洗浄機においては、すすぎ水タンク内の水位が異常な高水位となったことを別途検出する必要なく、すすぎ水位検出手段により単にすすぎ水タンク内が所定水位に達しているか否かを検出するだけで給水手段の異常を判定できることになるため、すすぎ水位検出手段の構成を複雑にしたり別途検出手段を設けたりする必要なく、装置を簡単かつ安価に構成した上で的確に給水手段の異常を判定することができる。
【０００７】
本発明の第２の構成上の特徴は、上記第１の構成上の特徴を有する食器洗浄機において、前記給水禁止手段による給水制御の禁止の開始及び同禁止開始後の前記禁止中供給制御手段による前記すすぎ水供給手段の制御の実行並びに前記禁止の解除を指示するための指示手段を設けたことにある。これによれば、洗浄処理の進行に応じて給水手段による給水の許容及び禁止を指示できるようになるため、当該食器洗浄機の使い勝手が向上する。
【０００８】
本発明の第３の構成上の特徴は、上記第１の構成上の特徴を有する食器洗浄機において、前記禁止中供給制御手段に前記すすぎ水供給手段の制御を実行させないように前記給水禁止手段による給水制御の禁止の開始を指示するとともに、前記禁止の解除を指示するための第１指示手段と、前記給水禁止手段による給水制御の禁止の開始及び同禁止の開始後の前記禁止中供給制御手段による前記すすぎ水供給手段の制御の実行を指示するための第２指示手段とを設けたことにある。これによれば、洗浄処理の進行に応じて給水手段による給水の許容及び禁止を指示でき、しかも同給水の禁止を指示する場合には同禁止の開始後に禁止中供給制御手段の制御下にてすすぎ水供給手段を作動させるか否かをそれぞれ異なる指示手段により選択的に指示できるようになるため、当該食器洗浄機の使い勝手が向上する。
【０００９】
本発明の他の構成上の特徴は、上記各特徴を有する食器洗浄機において、前記給水異常判定手段が前記給水手段に異常ありと判定したとき同異常を報知する異常報知手段を設けたことにある。これによれば、給水手段に異常が発生したとき、同異常に対して迅速に対処できるようになる。
【００１０】
【発明の実施の形態】
ａ．第１の実施形態
以下、本発明の第１の実施形態について図面を参照して説明する。図１に示した食器洗浄機は、図示しない蓋によって前面を開閉されて食器を収容する洗浄室１０を備えている。
【００１１】
洗浄室１０内には、上下一対の洗浄ノズル１１，１２及びすすぎノズル１３，１４がそれぞれ対向して配設されている。各ノズル１１〜１４は、圧送された洗浄水及びすすぎ湯をそれぞれ回転しながら洗浄室１０内に収容された食器に噴射するものである。洗浄室１０の下方には、洗浄室１０とフィルタ２１を介して連通して洗浄室１０から流入する洗浄水を回収する洗浄水タンク２０が配設されている。
【００１２】
洗浄水タンク２０には、導管２２を介して洗浄ポンプ２３が接続されている。洗浄ポンプ２３は、洗浄水タンク２０内の洗浄水を導管２２を通して吸入して導管２４を通して各洗浄ノズル１１，１２に圧送する。洗浄水タンク２０にはオーバーフローパイプ２５が侵入しており、洗浄水タンク２０内は常に所定水位未満に保たれるようになっている。
【００１３】
また、この食器洗浄機は、すすぎ湯タンク（すすぎ水タンク）３０も備えている。すすぎ湯タンク３０には、導管３１を介してすすぎポンプ３２が接続されている。すすぎポンプ３２はすすぎ水供給手段であり、すすぎ湯タンク３０内の湯を導管３１を通して吸入して導管３３を通してすすぎ湯（すすぎ水）として各すすぎノズル１３，１４に圧送する。すすぎ湯タンク３０の上部には図示しない外部給湯源に接続された給湯管３４の一端が侵入しており、給湯管３４の中間部には給湯バルブ３５が介装されている。給湯管３４及び給湯バルブ３５は協働して給水手段を構成し、給湯管３４は給湯バルブ３５が開状態にあるとき前記外部給湯源からの湯をすすぎ湯タンク３０内に供給する。すすぎ湯タンク３０には、同タンク３０内の水位が所定水位未満であるときオフ状態に保たれ同タンク３０内の水位が前記所定水位以上となったときオン状態となるすすぎ水位検出手段としての定水位フロートスイッチ３６が組み付けられている。また、すすぎ湯タンク３０にはオーバーフローパイプ３７が侵入しており、すすぎ湯タンク３０内は常に前記所定水位より高い所定の上限水位未満に保たれるようになっている。
【００１４】
上記各ポンプ２３，３２、給水バルブ３５、及び定水位スイッチ３６には、図２にて示すように電気制御回路４０が接続されている。電気制御回路４０には、操作パネル４１（図２にのみ図示）上に配設されて使用者により操作及び視認されるメインスイッチ４１ａ、洗浄スイッチ４１ｂ、運転中ランプ４１ｃ、運転可能ランプ４１ｄ、及び異常ランプ４１ｅもそれぞれ接続されている。メインスイッチ４１ａは、すすぎ湯タンク３０に対する給湯制御の開始及び終了を指示するための常開スイッチである。洗浄スイッチ４１ｂは、食器の洗浄処理の開始を指示するための常開スイッチである。運転中ランプ４１ｃは、食器の洗浄処理中に点灯し、同洗浄処理時以外の洗浄ノズル１１，１２への洗浄水の供給中に点滅するランプである。運転可能ランプ４２ｄは、食器の洗浄処理が可能な状態にて点灯するランプである。異常ランプ４１ｅは異常報知手段であり、給湯管３４又は給湯バルブ３５に異常が発生した場合に点灯して同異常を報知するものである。
【００１５】
また、電気制御回路４０には、時間を計測するタイマ４０ａが内蔵されている。電気制御回路４０は、定水位スイッチ３６の状態、各スイッチ４１ａ，４１ｂの操作、及びタイマ４０ａによる計時に応じて図３に示したフローチャートに対応したプログラムを実行し、ポンプ２３，３２、及び各ランプ４１ｃ〜４１ｅの作動を制御する。また、電気制御回路４０は、所定の短時間毎に図４に示したフローチャートに対応したタイマインタラプトプログラムを割り込み実行し、定水位スイッチ３６の状態に応じて給水バルブ３５の開閉を制御する。
【００１６】
次に、上記のように構成した食器洗浄機の動作を図３，４のフローチャートに沿って説明する。最初、図示しない電源スイッチが投入されると、電気制御回路４０は、図３のステップ１００にてメインプログラムの実行を開始し、ステップ１０２にてフラグＦＬＧ１を値“１”に設定する。フラグＦＬＧ１は、値“０”にてすすぎ湯タンク３０への給湯を許容し、値“１”にて同給湯を禁止するものである。
【００１７】
上記設定後、電気制御回路４０は、ステップ１０４にてメインスイッチ４１ａがオン操作されたか否かを判定し、ステップ１０６にて定水位フロートスイッチ３６がオン状態であるか否かを判定する。最初、すすぎ湯タンク３０への給湯が開始されていない状態においては、定水位フロートスイッチ３６はオフ状態に保たれているため、電気制御回路４０は各「ＮＯ」との判定のもとにステップ１０４，１０６の判定処理を繰り返し実行してメインスイッチ４１ａがオン操作されるのを待つ。
【００１８】
上記繰り返し実行中、メインスイッチ４１ａがオン操作されると、電気制御回路４０はステップ１０４における「ＹＥＳ」との判定のもとにプログラムをステップ１０８以降へ進めて、食器の洗浄処理を準備し始める。ステップ１０８においては、運転中ランプ４１ｃの点滅を開始させ、運転可能ランプ４１ｄを消灯する。ステップ１１０においては、フラグＦＬＧ１をすすぎ湯タンク３０への給湯を許容する値“０”に設定する。そして、ステップ１１２の判定処理を繰り返し実行して、定水位フロートスイッチ３６がオン状態となるのを待つ。
【００１９】
ところで、前記電源スイッチの投入以後、電気制御回路４０は所定の短時間毎に図４のタイマインタラプトプログラムを繰り返し割り込み実行している。電気制御回路４０は、ステップ２００にて同プログラムの実行を開始する毎に、ステップ２０２にてフラグＦＬＧ１の値が“０”であるか否かを判定する。最初、前記図３のステップ１０２にてフラグＦＬＧ１がすすぎ湯タンク３０への給湯を禁止する値“１”に設定されている間は、電気制御回路４０はこのとき「ＮＯ」と判定してプログラムをステップ２１０へ進め給湯バルブ３５の開閉制御をすることなく同タイマインタラプトプログラムの実行を一旦終了する。一方、メインスイッチ４１ａがオン操作されて、前記図３のステップ１１０にてフラグＦＬＧ１がすすぎ湯タンク３０への給湯を許容する値“０”に設定されると、電気制御回路４０は上記ステップ２０２の実行時に「ＹＥＳ」と判定してプログラムをステップ２０４以降へ進める。
【００２０】
ステップ２０４においては、定水位フロートスイッチ３６がオン状態であるか否かを判定する。最初、すすぎ湯タンク３０への給湯が開始されていない状態においては、定水位フロートスイッチ３６はオフ状態に保たれているため、電気制御回路４０はこのとき「ＮＯ」と判定してプログラムをステップ２０６へ進め給湯バルブ３５を開く。そして、ステップ２１０にて同タイマインタラプトプログラムの実行を一旦終了する。以後、電気制御回路４０は、このタイマインタラプトプログラムを実行する毎に、上記ステップ２００〜２０６，２１０の処理を繰り返し実行する。このとき、給湯バルブ３５は開状態に保たれるため、すすぎ湯タンク３０内には給湯管３４を通して外部給湯源からの湯が供給される。そして、同繰り返し実行中、上記給湯によりすすぎ湯タンク３０内の水位が所定水位に達すると、定水位フロートスイッチ３６がオン状態となるため、電気制御回路４０はステップ２０４の実行時に「ＹＥＳ」と判定してプログラムをステップ２０８へ進め、給湯バルブ３５を閉じてすすぎ湯タンク３０への給湯を停止する。これにより、すすぎ湯タンク３０内に所定水位まですすぎ湯が満たされる。
【００２１】
一方、上記すすぎ湯タンク３０内の水位が所定水位に達したとき、メインプログラムにおいては、図３のステップ１１２における判定のもとに、プログラムがステップ１１４以降へ進められる。ステップ１１４においては、所定時間だけすすぎポンプ３２を作動させてすすぎノズル１３，１４にすすぎ湯を供給することにより、洗浄室１０内からフィルタ２１を介して洗浄水タンク２０内にすすぎ湯を流し込んで同すすぎ湯を洗浄水として洗浄水タンク２０内に貯え、洗浄水タンク２０内を所定水位まで満たす処理を行う。また、このとき上記すすぎポンプ３２の作動によりすすぎ湯タンク３０内の水位が低下すると、電気制御回路４０は、前記図４のタイマインタラプトプログラムの繰り返し割り込み実行により、前記同様に給湯バルブ３５を開閉制御してすすぎ湯タンク３０内の水位を再び前記所定水位まで満たす。これにより、洗浄水タンク２０及びすすぎ湯タンク３０は共に所定水位まで満たされて、当該食器洗浄機は食器の洗浄処理が可能な状態となる。
【００２２】
上記すすぎポンプ３２の作動終了後、電気制御回路４０は、ステップ１１６にて運転中ランプ４１ｃを消灯するとともに運転可能ランプ４１ｄを点灯した上で、ステップ１１８，１２０の判定処理を繰り返し実行してメインスイッチ４１ａ又は洗浄スイッチ４１ｂがオン操作されるのを待つ。このとき、洗浄室１０内に食器が収容されて洗浄スイッチ４１ｂがオン操作されると、電気制御回路４０はプログラムをステップ１２２以降へ進めて食器の洗浄処理を開始する。
【００２３】
ステップ１２２においては、運転中ランプ４１ｃを点灯するとともに、運転可能ランプ４１ｄを消灯する。ステップ１２４においては、所定時間（例えば、４０秒）だけ洗浄ポンプ２３を作動させて洗浄ノズル１１，１２に洗浄水を供給し、洗浄ノズル１１，１２により洗浄室１０内の食器に洗浄水を噴射することにより同食器を洗浄する。このとき、食器に噴射された洗浄水は食器を洗浄後に洗浄室１０内からフィルタ２１を介して再び洗浄水タンク２０内に流れ込み、この循環により食器の洗浄が継続される。
【００２４】
上記洗浄ポンプの作動終了後、電気制御回路４０は、ステップ１２６にて所定時間（例えば、５秒）だけ各ポンプ２３，３２の作動を休止した上で、プログラムをステップ１２８へ進める。ステップ１２８においては、所定時間（例えば、７秒）だけすすぎポンプ３２を作動させてすすぎノズル１３，１４にすすぎ湯を供給し、すすぎノズル１３，１４により洗浄室１０内の食器にすすぎ湯を噴射することにより同食器をすすぐ。また、このとき上記すすぎポンプ３２の作動によりすすぎ湯タンク３０内の水位が低下すると、電気制御回路４０は、前記図４のタイマインタラプトプログラムの繰り返し割り込み実行により、前記同様に給湯バルブ３５を開閉制御してすすぎ湯タンク３０内の水位を再び前記所定水位まで満たす。
【００２５】
上記各処理後、電気制御回路４０はプログラムをステップ１１６へ戻し、再び運転中ランプ４１ｃを消灯するとともに運転可能ランプ４１ｄを点灯した上で、ステップ１１８，１２０の判定処理を繰り返し実行してメインスイッチ４１ａ又は洗浄スイッチ４１ｂがオン操作されるのを待つ。
【００２６】
上記繰り返し実行中、洗浄室１０内に新たに食器が収容されて再び洗浄スイッチ４１ｂがオン操作されると、電気制御回路４０はステップ１２０における判定のもとに再び上記ステップ１２２〜１２８の処理を実行して食器の洗浄処理を行う。一方、上記ステップ１１８，１２０の判定処理の繰り返し実行中、全ての食器の洗浄処理が完了してメインスイッチ４１ａがオン操作されると、電気制御回路４０はステップ１１８における判定のもとにプログラムをステップ１３０へ進めて給湯管３４及び給湯バルブ３５の異常判定を開始する。
【００２７】
この場合、電気制御回路４０は、ステップ１３０にて運転中ランプ４１ｃの点滅を開始するとともに運転可能ランプ４１ｄを消灯した上で、ステップ１３２にて定水位フロートスイッチ３６がオン状態であるか否かを判定する。このとき、前記ステップ１２８のすすぎポンプ３２の作動時に図４のタイマインタラプトプログラムの実行により開始されたすすぎ湯タンク３０への給湯が完了しておらず、すすぎ湯タンク３０内の水位が前記所定水位未満であった場合は、定水位フロートスイッチ３６による検出に基づき同ステップ１３２の判定処理を繰り返し実行してすすぎ湯タンク３０内の水位が前記所定水位に達するのを待つ。これにより、後のステップ１３８におけるすすぎポンプ３２の作動時にすすぎポンプ３２が空運転することを回避するようにしている。
【００２８】
上記繰り返し実行中、図４のタイマインタラプトプログラムの実行により開始されたすすぎ湯タンク３０への給湯が完了してすすぎ湯タンク３０が前記所定水位まで満たされると、電気制御回路４０は定水位フロートスイッチ３６による検出に基づきプログラムをステップ１３６以降へ進める。ステップ１３６においては、フラグＦＬＧ１をすすぎ湯タンク３０への給湯を禁止する値“１”に設定する。これにより、以後、図４のタイマインタラプトプログラムにおいてはステップ２０２における判定に基づきステップ２０４〜２０８の処理が回避されて給湯バルブ３５の開閉制御が禁止されることとなり、すすぎ湯タンク３０内の水位が前記所定水位未満となってもすすぎ湯タンク３０への給湯が開始されないようになる。
【００２９】
上記フラグＦＬＧ１の設定後、電気制御回路４０は、ステップ１３８にて、所定時間だけすすぎポンプ３２を作動させてすすぎノズル１３，１４にすすぎ湯を供給する。この場合、すすぎポンプ３２を作動させる時間はすすぎ湯タンク３０内が空とならない程度に十分に長く設定されており、同すすぎポンプ３２の作動によってすすぎ湯タンク３０内の水位は確実に前記所定水位未満まで低下する。
【００３０】
上記すすぎポンプ３２の作動終了後、電気制御回路４０は、ステップ１４０にて各ランプ４１ｃ，４１ｄを共に消灯した上で、プログラムを戻して再びステップ１０４，１０６の判定処理を繰り返し実行する。このとき、給湯管３４及び給湯バルブ３５が正常な状態であれば、前記ステップ１３６におけるフラグＦＬＧ１の設定によりすすぎ湯タンク３０への給湯は禁止されているため、すすぎ湯タンク３０内の水位が前記所定水位に達することはない。この場合、電気制御回路４０は各「ＮＯ」との判定のもとにステップ１０４，１０６の判定処理を繰り返し実行し、メインスイッチ４１ａが再びオン操作されるのを待ち続ける。
【００３１】
一方、給湯管３４及び給湯バルブ３５に漏水、故障などの異常が発生して、すすぎ湯タンク３０への給湯が停止できなくなっていた場合、上記ステップ１０４，１０６の判定処理の繰り返し実行中、前記ステップ１３６におけるフラグＦＬＧ１の設定によりすすぎ湯タンク３０への給湯制御が禁止されているにもかかわらず、すすぎ湯タンク３０内の水位は前記所定水位に達することになる。このとき、電気制御回路４０は、ステップ１０４における「ＹＥＳ」との判定のもとにステップ１４２にて異常ランプ４１ｅにより上記異常を報知した上で、ステップ１４４にてこのプログラムの実行を終了して以後の各ポンプ２３，３２の作動を禁止し上記食器の洗浄処理を強制的に禁止する。
【００３２】
上述のように、上記実施形態においては、洗浄終了後にメインスイッチ４１ａがオン操作されたとき、ステップ１３６にてすすぎ湯タンク３０への給湯制御を禁止した上でステップ１３８にてすすぎポンプ３２を所定時間だけ作動させることにより、すすぎ湯タンク３０内の水位を一旦所定水位未満にする。その上で、上記給湯制御を禁止した状態を保ちながらステップ１０６にてすすぎ湯タンク３０内の水位が前記所定水位に達したか否かを判定することによって給湯管３４及び給湯バルブ３５に異常が発生したか否かを判定するようにしているため、すすぎ湯タンク３０内の水位が異常な高水位となったことを別途検出する必要なく、定水位フロートスイッチ３６により単にすすぎ水タンク３０内が所定水位に達しているか否かを検出するだけで給湯管３４及び給湯バルブ３５の異常を判定できるようになっている。したがって、装置を簡単かつ安価に構成した上で、的確に給水手段の異常を判定することができる。
【００３３】
また、上記給湯制御の禁止の開始（ステップ１３６）及び同禁止開始後の異常判定のためのすすぎポンプ３２の作動制御（ステップ１３８）、並びに同禁止の解除（ステップ１１０）は、それぞれメインスイッチ４１ａのオン操作によって指示できるようになっている。これにより、洗浄処理の進行に応じてすすぎ湯タンク３０への給水の許容及び禁止を指示できることになるため、当該食器洗浄機の使い勝手が良くなっている。
【００３４】
また、上記ステップ１０６における異常有りとの判定時には、ステップ１４２にて異常ランプ４１ｅにより同異常が報知されるようになっている。これにより異常に対して迅速に対処できるようになっており、当該食器洗浄機の使い勝手が良くなっている。
【００３５】
ｂ．第２の実施形態
以下、本発明の第２の実施形態について図面を参照して説明する。同実施形態は、上記第１の実施形態に係る食器洗浄機において、すすぎ湯タンク３０に対する給湯制御の終了を指示するための常開スイッチである終了スイッチ４１ｆ（図２にて二点鎖線により図示）を別途新たに設けたものである。
【００３６】
同実施形態においては、電気制御回路４０は図３に代えて図５に示したフローチャートに対応したプログラムを実行する。電気制御回路４０は、ステップ１０２におけるフラグＦＬＧ１の設定後、ステップ３０２にてフラグＦＬＧ２の値を“０”に設定する。フラグＦＬＧ２は、値“１”にて当該食器洗浄機が異常判定中であることを表すものである。
【００３７】
上記設定後、電気制御回路４０は、ステップ１０４にてメインスイッチ４１ａがオン操作されたか否かを判定し、ステップ３０４にてフラグＦＬＧ２の値が“１”であるか否かを判定する。このとき、最初は上記ステップ３０２にてフラグＦＬＧ２が値“０”に設定されているため、電気制御回路４０は各「ＮＯ」との判定のもとに前記ステップ１０６の判定処理を実行することなく、ステップ１０４，３０４の判定処理のみを繰り返し実行してメインスイッチ４１ａがオン操作されるのを待つ。
【００３８】
上記繰り返し実行中、メインスイッチ４１ａがオン操作されると、電気制御回路４０は前記同様のステップ１０８〜１１６の処理を実行して食器の洗浄処理を準備する。そして、ステップ１１８，３０６，１２０の判定処理を繰り返し実行して、メインスイッチ４１ａ、洗浄スイッチ４１ｂ、又は終了スイッチ４１ｆがオン操作されるのを待つ。このとき、洗浄スイッチ４１ｂがオン操作されると、電気制御回路４０は前記同様のステップ１２２〜１２８を実行して食器を洗浄する。
【００３９】
一方、上記ステップ１１８，３０６，１２０の繰り返し実行中、メインスイッチ４１ａがオン操作された場合、電気制御回路４０はステップ１１８における判定のもとにプログラムをステップ３０８以降へ進める。ステップ３０８においては、各ランプ４１ｃ，４１ｄを共に消灯する。ステップ３１０においては、フラグＦＬＧ１をすすぎ湯タンク３０への給湯を禁止する値“１”に設定し、ステップ３１２においては、給湯バルブ３５を閉じる。これにより、以後、図４のステップ２０２における判定に基づきステップ２０４〜２０８の処理が回避されて給湯バルブ３２の開閉制御が禁止されることとなり、水位に関わらずすすぎ湯タンク３０内への給水が強制的に終了することになる。
【００４０】
ステップ３１４においては、フラグＦＬＧ２の値を“０”に設定する。同設定後、電気制御回路４０はプログラムを戻して、再びステップ１０４，３０４の判定処理を繰り返し実行してメインスイッチ４１ａがオン操作されるのを待つ。
【００４１】
一方、上記ステップ１１８，３０６，１２０の繰り返し実行中、終了スイッチ４１ｆがオン操作されると、電気制御回路４０はステップ３０６における判定のもとにプログラムをステップ３１６以降へ進める。ステップ３１６においては、フラグＦＬＧ２を当該食器洗浄機が異常判定中であることを表す値“１”に設定する。
【００４２】
上記設定後、電気制御回路４０は前記同様のステップ１３０〜１４０を実行してすすぎ湯タンク３０内の水位を前記所定水位未満まで低下させる。なお、このときすすぎ湯タンク３０からすすぎポンプ３２によりすすぎノズル１３，１４に供給されたすすぎ湯は、洗浄室１０内からフィルタ２１を介して洗浄水タンク２０内に流れ込んで洗浄水タンク２０内を洗浄する。同処理後、電気制御回路４０はプログラムをステップ１０４へ戻すが、このときは上記ステップ３０８にてフラグＦＬＧ２が値“１”に設定されているため、電気制御回路４０はステップ３０４の実行時に「ＹＥＳ」と判定してプログラムをステップ１０６へ進めることになる。したがって、以後、電気制御回路４０は、ステップ１０４，３０４，１０６の判定処理を繰り返し実行して、前記同様にステップ１０６にて定水位フロートスイッチ３６がオン状態となったか否かすなわち給水管３４又は給水バルブ３５に異常が発生したか否かを判定し続け、異常有りとの判定時にはプログラムを１４２以降へ進めて異常ランプ４１ｅにより上記異常を報知するとともに各ポンプ２３，３２の作動を禁止し上記食器の洗浄処理を強制的に禁止する。
【００４３】
上述のように、上記実施形態においては、メインスイッチ４１ａによって、すすぎポンプ３５を作動させないように給湯制御の禁止の開始（ステップ３１０）を指示するとともに同禁止の解除（ステップ１１０）を指示することができ、終了スイッチ４１ｆによって給湯制御の禁止の開始（ステップ１３６）及び同開始後の異常判定のためのすすぎポンプ３２の作動制御（ステップ１３８）を指示できるようになっている。したがって、洗浄処理の進行に応じてすすぎ湯タンク３０への給水の許容及び禁止を指示でき、しかも同給水の禁止を指示する場合には同禁止の開始後にすすぎポンプ３５を作動させるか否かをそれぞれ異なるスイッチ４１ａ，４１ｆにより選択的に指示できることになるため、当該食器洗浄機の使い勝手が良くなっている。
【００４４】
なお、上記各実施形態においては、異常を異常ランプ４１ｅのみにより視覚的に報知するようにしたが、これに代えて、又はこれに加えて、同異常を聴覚的に報知する警報器を採用してもよい。
【図面の簡単な説明】
【図１】本発明の第１の実施形態に係る食器洗浄機の全体を示す概略図である。
【図２】前記製氷機の電気制御部を示すブロック図である。
【図３】図２の電気制御回路にて実行されるメインプログラムに対応したフローチャートである。
【図４】前記電気制御回路にて実行されるタイマインタラプトプログラムに対応したフローチャートである。
【図５】本発明の第２の実施形態に係り、図２の電気制御回路にて実行されるメインプログラムに対応したフローチャートである。
【符号の説明】
１０…洗浄室、１３，１４…すすぎノズル、２０…洗浄水タンク、３０…すすぎ湯タンク、３２…すすぎポンプ、３４…給湯管、３５…給湯バルブ、３６…定水位フロートスイッチ、４０…電気制御回路、４１ａ…メインスイッチ、４１ｅ…異常ランプ、４１ｆ…終了スイッチ。
【図１】
2004049538.tif 000003
【図２】
2004049538.tif 000004
【図３】
2004049538.tif 000005
【図４】
2004049538.tif 000006
【図５】
2004049538.tif 000007